(57)【要約】【課題】表示装置の高価格化、大型化を抑制し、かつ、表示装置に出力されるコンテンツを簡便に種々の処理をすることを可能にした通信システムを提供する。【解決手段】複数のコンテンツとコンテンツ毎に異なるコンテンツ識別子とが格納された記憶部と、複数のコンテンツを順に出力し、いずれか１つのコンテンツが選択されると、選択されたコンテンツに対応するコンテンツ識別子をネットワークに送出する制御部とを含む表示装置と、複数のコンテンツのそれぞれについて処理項目が格納された記憶部と、ネットワークを介して表示装置からコンテンツ識別子を受信すると、コンテンツ識別子のコンテンツに対応する処理項目を含むコンテンツページを生成する制御部とを含むサーバと、を有する。【選択図】図１
2010176273.tif 000002
【特許請求の範囲】
【請求項１】
複数のコンテンツとコンテンツ毎に異なるコンテンツ識別子とが格納された記憶部と、前記複数のコンテンツを順に出力し、いずれか１つのコンテンツが選択されると、選択されたコンテンツに対応するコンテンツ識別子をネットワークに送出する制御部とを含む表示装置と、
前記複数のコンテンツのそれぞれについて処理項目が格納された記憶部と、前記ネットワークを介して前記表示装置から前記コンテンツ識別子を受信すると、該コンテンツ識別子のコンテンツに対応する前記処理項目を含むコンテンツページを生成する制御部とを含むサーバと、
を有する通信システム。
【請求項２】
前記サーバの制御部は、
前記コンテンツページを取得するための情報を情報処理装置に前記ネットワークを介して送信する、請求項１記載の通信システム。
【請求項３】
複数のコンテンツとコンテンツ毎に異なるコンテンツ識別子とが格納された記憶部と、前記複数のコンテンツを順に出力し、いずれか１つのコンテンツが選択されると、選択されたコンテンツに対応するコンテンツ識別子をネットワークに送出する制御部とを含む表示装置と、
前記複数のコンテンツのそれぞれについて文字入力項目が格納された記憶部と、前記ネットワークを介して前記表示装置から前記コンテンツ識別子を受信すると、該コンテンツ識別子のコンテンツに対応する前記文字入力項目の入力欄を含むコンテンツページを生成し、該コンテンツページを取得するための情報を、文字入力手段を備えた情報処理装置に前記ネットワークを介して送信する制御部とを含むサーバと、
を有する通信システム。
【請求項４】
前記サーバの記憶部に前記情報処理装置の電子メールアドレスが予め登録され、
前記サーバの制御部は、
前記コンテンツページを取得するための情報として該コンテンツページのＵＲＬを生成し、該コンテンツページのＵＲＬを含む電子メールを前記電子メールアドレス宛に送信する、請求項２または３に記載の通信システム。
【請求項５】
前記情報処理装置の制御部が前記電子メールアドレスを前記サーバに登録する際、自装置の表示部の画面の表示形式に対応する装置種識別子を前記サーバに送信し、
前記サーバの制御部は、
前記情報処理装置から受信する前記装置種識別子を前記電子メールアドレスとともに前記記憶部に登録し、
前記電子メールを前記情報処理装置に送信した後、該情報処理装置から前記コンテンツページのＵＲＬへの接続要求を受けると、該情報処理装置の前記装置種識別子に対応する表示形式の前記コンテンツページを生成する、請求項４記載の通信システム。
【請求項６】
前記情報処理装置の制御部は、
前記電子メールを前記サーバから受信した後、該サーバに対して前記コンテンツページのＵＲＬへの接続を要求する際、自装置の表示部の画面の表示形式に対応する装置種識別子を該サーバに送信し、
前記サーバの制御部は、
前記コンテンツページを生成する際、複数種の表示形式毎のコンテンツページを生成して自装置の前記記憶部に格納し、前記情報処理装置から前記装置種識別子を受信すると、該記憶部に格納した複数のコンテンツページから該装置種識別子に対応するコンテンツページを選択する、請求項４記載の通信システム。
【請求項７】
前記サーバの制御部は、
前記コンテンツページおよび該コンテンツページのＵＲＬの有効時間または有効アクセス回数を設定する、請求項４から６のいずれか１項記載の通信システム。
【請求項８】
前記処理項目は、前記コンテンツのサービス区分を示すカテゴリと、前記コンテンツのデータ記録形式を示すフォーマットの両方もしくは一方に基づいて分類され、前記サーバの記憶部に格納されている、請求項１または２に記載の通信システム。
【請求項９】
前記サーバの制御部は、
前記コンテンツページを生成する際、自装置の記憶部に格納された情報を参照し、前記コンテンツ識別子に対応する、前記カテゴリと前記フォーマットを抽出し、抽出したカテゴリおよびフォーマットに対応するコンテンツページを生成する、請求項８記載の通信システム。
【請求項１０】
前記コンテンツに関連する用語を前記サーバから受信すると、該用語に関連する情報を前記ネットワーク上で公開されている情報から取得し、取得した情報を前記サーバに送信する検索サーバをさらに有し、
前記サーバの制御部は、前記表示装置から前記コンテンツ識別子を受信すると、該コンテンツ識別子のコンテンツに関連する用語を前記検索サーバに送信し、該検索サーバから受信する情報に基づく前記処理項目を生成して前記コンテンツページに追加する、請求項１から９のいずれか１項記載の通信システム。
【請求項１１】
複数のコンテンツを順に出力する表示装置とネットワークを介して接続されるサーバ装置であって、
前記複数のコンテンツのそれぞれについて処理項目が格納された記憶部と、
前記複数のコンテンツのうち選択されたコンテンツに対応するコンテンツ識別子を前記表示装置から受信すると、該コンテンツ識別子のコンテンツに対応する前記処理項目を含むコンテンツページを生成する制御部と、
を有するサーバ装置。
【請求項１２】
前記制御部は、
前記コンテンツページを取得するための情報を情報処理装置に前記ネットワークを介して送信する、請求項１１記載のサーバ装置。
【請求項１３】
複数のコンテンツを順に出力する表示装置とネットワークを介して接続されるサーバ装置であって、
前記複数のコンテンツのそれぞれについて文字入力項目が格納された記憶部と、
前記複数のコンテンツのうち選択されたコンテンツに対応するコンテンツ識別子を前記表示装置から受信すると、該コンテンツ識別子のコンテンツに対応する前記文字入力項目の入力欄を含むコンテンツページを生成し、該コンテンツページを取得するための情報を、文字入力手段を備えた情報処理装置に前記ネットワークを介して送信する制御部と、
を有するサーバ装置。
【請求項１４】
前記記憶部に前記情報処理装置の電子メールアドレスが予め登録され、
前記制御部は、
前記コンテンツページを取得するための情報として該コンテンツページのＵＲＬを生成し、該コンテンツページのＵＲＬを含む電子メールを前記電子メールアドレス宛に送信する、請求項１２または１３に記載のサーバ装置。
【請求項１５】
前記情報処理装置の表示部の画面の表示形式に対応する装置種識別子が前記電子メールアドレスとともに前記記憶部に予め登録され、
前記制御部は、
前記電子メールを前記情報処理装置に送信した後、該情報処理装置から前記コンテンツページのＵＲＬへの接続要求を受けると、該情報処理装置の前記装置種識別子に対応する表示形式の前記コンテンツページを生成する、請求項１４記載のサーバ装置。
【請求項１６】
前記制御部は、
前記コンテンツページを生成する際、複数種の表示形式毎のコンテンツページを生成して前記記憶部に格納し、
前記電子メールを前記情報処理装置に送信した後、該情報処理装置から前記コンテンツページのＵＲＬへの接続要求を受ける際、該情報処理装置の表示部の画面の表示形式に対応する装置種識別子を受信すると、前記記憶部に格納した複数のコンテンツページから該装置種識別子に対応するコンテンツページを選択する、請求項１４記載のサーバ装置。
【請求項１７】
前記制御部は、
前記コンテンツページおよび該コンテンツページのＵＲＬの有効時間または有効アクセス回数を設定する、請求項１４から１６のいずれか１項記載のサーバ装置。
【請求項１８】
前記処理項目は、前記コンテンツのサービス区分を示すカテゴリと、前記コンテンツのデータ記録形式を示すフォーマットの両方もしくは一方に基づいて分類され、前記記憶部に格納されている、請求項１１または１２に記載のサーバ装置。
【請求項１９】
前記制御部は、
前記コンテンツページを生成する際、前記記憶部に格納された情報を参照し、前記コンテンツ識別子に対応する、前記カテゴリと前記フォーマットを抽出し、抽出したカテゴリおよびフォーマットに対応するコンテンツページを生成する、請求項１８記載のサーバ装置。
【請求項２０】
複数のコンテンツのうち選択されたコンテンツに関連するウェブページを生成するサーバとネットワークを介して接続される表示装置であって、
前記複数のコンテンツとコンテンツ毎に異なるコンテンツ識別子とが格納された記憶部と、
前記複数のコンテンツのうち出力中のコンテンツを選択するためのボタンと、
前記複数のコンテンツを順に出力し、前記ボタンが押されると、該ボタンが押されたときに出力中のコンテンツに対応するコンテンツ識別子を前記サーバに送信する制御部と、
を有する表示装置。
【請求項２１】
複数のコンテンツを順に出力する表示装置とネットワークを介して接続されるサーバ装置による情報処理方法であって、
前記複数のコンテンツのそれぞれについて処理項目を格納し、
前記複数のコンテンツのうち選択されたコンテンツに対応するコンテンツ識別子を前記表示装置から受信すると、該コンテンツ識別子のコンテンツに対応する前記処理項目を含むコンテンツページを生成する、情報処理方法。
【請求項２２】
前記コンテンツページを取得するための情報を情報処理装置に前記ネットワークを介して送信する、請求項２１記載の情報処理方法。
【請求項２３】
複数のコンテンツを順に出力する表示装置とネットワークを介して接続されるサーバ装置による情報処理方法であって、
前記複数のコンテンツのそれぞれについて文字入力項目を格納し、
前記複数のコンテンツのうち選択されたコンテンツに対応するコンテンツ識別子を前記表示装置から受信すると、該コンテンツ識別子のコンテンツに対応する前記文字入力項目の入力欄を含むコンテンツページを生成し、
前記コンテンツページを取得するための情報を、文字入力手段を備えた情報処理装置に前記ネットワークを介して送信する、情報処理方法。
【請求項２４】
前記情報処理装置の電子メールアドレスを予め格納し、
前記コンテンツページを取得するための情報として該コンテンツページのＵＲＬを生成し、
前記コンテンツページのＵＲＬを含む電子メールを前記電子メールアドレス宛に送信する、請求項２２または２３に記載の情報処理方法。
【請求項２５】
前記情報処理装置の表示部の画面の表示形式に対応する装置種識別子を前記電子メールアドレスとともに予め格納し、
前記電子メールを前記情報処理装置に送信した後、該情報処理装置から前記コンテンツページのＵＲＬへの接続要求を受けると、該情報処理装置の前記装置種識別子に対応する表示形式の前記コンテンツページを生成する、請求項２４記載の情報処理方法。
【請求項２６】
前記コンテンツページを生成する際、複数種の表示形式毎のコンテンツページを生成して格納し、
前記電子メールを前記情報処理装置に送信した後、該情報処理装置から前記コンテンツページのＵＲＬへの接続要求を受ける際、該情報処理装置の表示部の画面の表示形式に対応する装置種識別子を受信すると、格納した複数のコンテンツページから該装置種識別子に対応するコンテンツページを選択する、請求項２４記載の情報処理方法。
【請求項２７】
前記コンテンツページおよび該コンテンツページのＵＲＬの有効時間または有効アクセス回数を設定する、請求項２４から２６のいずれか１項記載の情報処理方法。
【請求項２８】
前記複数のコンテンツのそれぞれについて処理項目を格納する際、前記コンテンツのサービス区分を示すカテゴリと、前記コンテンツのデータ記録形式を示すフォーマットの両方もしくは一方に基づいて分類して格納する、請求項２１または２２に記載の情報処理方法。
【請求項２９】
前記コンテンツページを生成する際、格納された情報を参照して、前記コンテンツ識別子に対応する、前記カテゴリと前記フォーマットを抽出し、
抽出したカテゴリおよびフォーマットに対応するコンテンツページを生成する、請求項２８記載の情報処理方法。
【請求項３０】
複数のコンテンツを順に出力する表示装置とネットワークを介して接続されるコンピュータに実行させるためのプログラムであって、
前記複数のコンテンツのそれぞれについて処理項目を格納し、
前記複数のコンテンツのうち選択されたコンテンツに対応するコンテンツ識別子を前記表示装置から受信すると、該コンテンツ識別子のコンテンツに対応する前記処理項目を含むコンテンツページを生成する処理を前記コンピュータに実行させるためのプログラム。
【請求項３１】
前記コンテンツページを取得するための情報を情報処理装置に前記ネットワークを介して送信する処理をさらに有する、請求項３０記載のプログラム。
【請求項３２】
複数のコンテンツを順に出力する表示装置とネットワークを介して接続されるコンピュータに実行させるためのプログラムであって、
前記複数のコンテンツのそれぞれについて文字入力項目を格納し、
前記複数のコンテンツのうち選択されたコンテンツに対応するコンテンツ識別子を前記表示装置から受信すると、該コンテンツ識別子のコンテンツに対応する前記文字入力項目の入力欄を含むコンテンツページを生成し、
前記コンテンツページを取得するための情報を、文字入力手段を備えた情報処理装置に前記ネットワークを介して送信する処理を前記コンピュータに実行させるためのプログラム。
【請求項３３】
前記情報処理装置の電子メールアドレスを予め格納し、
前記コンテンツページを取得するための情報として該コンテンツページのＵＲＬを生成し、
前記コンテンツページのＵＲＬを含む電子メールを前記電子メールアドレス宛に送信する処理をさらに有する、請求項３１または３２に記載のプログラム。
【請求項３４】
前記情報処理装置の表示部の画面の表示形式に対応する装置種識別子を前記電子メールアドレスとともに予め格納し、
前記電子メールを前記情報処理装置に送信した後、該情報処理装置から前記コンテンツページのＵＲＬへの接続要求を受けると、該情報処理装置の前記装置種識別子に対応する表示形式の前記コンテンツページを生成する処理をさらに有する、請求項３３記載のプログラム。
【請求項３５】
前記コンテンツページを生成する際、複数種の表示形式毎のコンテンツページを生成して格納し、
前記電子メールを前記情報処理装置に送信した後、該情報処理装置から前記コンテンツページのＵＲＬへの接続要求を受ける際、該情報処理装置の表示部の画面の表示形式に対応する装置種識別子を受信すると、格納した複数のコンテンツページから該装置種識別子に対応するコンテンツページを選択する処理をさらに有する、請求項３３記載のプログラム。
【請求項３６】
前記コンテンツページおよび該コンテンツページのＵＲＬの有効時間または有効アクセス回数を設定する処理をさらに有する、請求項３３から３５のいずれか１項記載のプログラム。
【請求項３７】
前記複数のコンテンツのそれぞれについて処理項目を格納する際、前記コンテンツのサービス区分を示すカテゴリと、前記コンテンツのデータ記録形式を示すフォーマットの両方もしくは一方に基づいて分類して格納する、請求項３０または３１に記載のプログラム。
【請求項３８】
前記コンテンツページを生成する際、格納された情報を参照して、前記コンテンツ識別子に対応する、前記カテゴリと前記フォーマットを抽出し、
抽出したカテゴリおよびフォーマットに対応するコンテンツページを生成する、請求項３７記載のプログラム。
【発明の詳細な説明】
【技術分野】
【０００１】
本発明は、通信システム、サーバ装置、表示装置、情報処理方法およびプログラムに関する。
【背景技術】
【０００２】
デジタルフォトフレームは、デジタルカメラで撮影した複数の写真を順に表示させる写真立てとして利用されてきた。デジタルフォトフレームに表示された画像を他の端末で活用したり、その画像に関する情報を得ようとすると、利用者は、デジタルフォトフレームから画像を媒体に一旦複写し、その媒体を他の情報端末に接続して画像を移送したり、デジタルフォトフレームから得た情報を、ネットワークに接続された情報端末に入力して調べたりする必要があった。
【０００３】
そのような不便を解消するための装置として、デジタルフォトフレームにウェブブラウザ機能を搭載し、デジタルフォトフレームでネット上のウェブページを見ることを可能にしたものが開示されている（特許文献１参照）。また、デジタルフォトフレームに電子メール機能を搭載し、デジタルフォトフレームから他の端末にメールを送信できるようにしたものが開示されている（特許文献２参照）。
【先行技術文献】
【特許文献】
【０００４】
【特許文献１】特開２００７−１１０５５７号公報
【特許文献２】特開２００７−０８８８４６号公報
【発明の概要】
【発明が解決しようとする課題】
【０００５】
デジタルフォトフレーム単体で情報検索などをできるようにしようとすると、特許文献１や特許文献２に開示されているように、パーソナルコンピュータ（以下、ＰＣと称する）のウェブブラウザ機能や電子メール機能がデジタルフォトフレームに搭載される。デジタルフォトフレームに、ＰＣのように高性能なＣＰＵなどの制御部やキーボードのような入力部を設けると、その分、本体価格の増加や装置の大型化を招いてしまうとう問題があった。
【０００６】
本発明は上述したような技術が有する問題点を解決するためになされたものであり、デジタルフォトフレームのような表示装置の高価格化、大型化を抑制し、かつ、表示装置に出力されるコンテンツを簡便に種々の処理をすることを可能にした通信システム、サーバ装置、表示装置、情報処理方法およびプログラムを提供することを目的とする。
【課題を解決するための手段】
【０００７】
上記目的を達成するための本発明の通信システムは、
複数のコンテンツとコンテンツ毎に異なるコンテンツ識別子とが格納された記憶部と、前記複数のコンテンツを順に出力し、いずれか１つのコンテンツが選択されると、選択されたコンテンツに対応するコンテンツ識別子をネットワークに送出する制御部とを含む表示装置と、
前記複数のコンテンツのそれぞれについて処理項目が格納された記憶部と、前記ネットワークを介して前記表示装置から前記コンテンツ識別子を受信すると、該コンテンツ識別子のコンテンツに対応する前記処理項目を含むコンテンツページを生成する制御部とを含むサーバと、
を有する構成である。
【０００８】
また、本発明の通信システムは、
複数のコンテンツとコンテンツ毎に異なるコンテンツ識別子とが格納された記憶部と、前記複数のコンテンツを順に出力し、いずれか１つのコンテンツが選択されると、選択されたコンテンツに対応するコンテンツ識別子をネットワークに送出する制御部とを含む表示装置と、
前記複数のコンテンツのそれぞれについて文字入力項目が格納された記憶部と、前記ネットワークを介して前記表示装置から前記コンテンツ識別子を受信すると、該コンテンツ識別子のコンテンツに対応する前記文字入力項目の入力欄を含むコンテンツページを生成し、該コンテンツページを取得するための情報を、文字入力手段を備えた情報処理装置に前記ネットワークを介して送信する制御部とを含むサーバと、
を有する構成である。
【０００９】
また、本発明のサーバ装置は、複数のコンテンツを順に出力する表示装置とネットワークを介して接続されるサーバ装置であって、
前記複数のコンテンツのそれぞれについて処理項目が格納された記憶部と、
前記複数のコンテンツのうち選択されたコンテンツに対応するコンテンツ識別子を前記表示装置から受信すると、該コンテンツ識別子のコンテンツに対応する前記処理項目を含むコンテンツページを生成する制御部と、
を有する構成である。
【００１０】
また、本発明の表示装置は、複数のコンテンツのうち選択されたコンテンツに関連するウェブページを生成するサーバとネットワークを介して接続される表示装置であって、
前記複数のコンテンツとコンテンツ毎に異なるコンテンツ識別子とが格納された記憶部と、
前記複数のコンテンツのうち出力中のコンテンツを選択するためのボタンと、
前記複数のコンテンツを順に出力し、前記ボタンが押されると、該ボタンが押されたときに出力中のコンテンツに対応するコンテンツ識別子を前記サーバに送信する制御部と、
を有する構成である。
【００１１】
また、本発明の情報処理方法は、複数のコンテンツを順に出力する表示装置とネットワークを介して接続されるサーバ装置による情報処理方法であって、
前記複数のコンテンツのそれぞれについて処理項目を格納し、
前記複数のコンテンツのうち選択されたコンテンツに対応するコンテンツ識別子を前記表示装置から受信すると、該コンテンツ識別子のコンテンツに対応する前記処理項目を含むコンテンツページを生成するものである。
【００１２】
さらに、本発明のプログラムは、複数のコンテンツを順に出力する表示装置とネットワークを介して接続されるコンピュータに実行させるためのプログラムであって、
前記複数のコンテンツのそれぞれについて処理項目を格納し、
前記複数のコンテンツのうち選択されたコンテンツに対応するコンテンツ識別子を前記表示装置から受信すると、該コンテンツ識別子のコンテンツに対応する前記処理項目を含むコンテンツページを生成する処理を前記コンピュータに実行させるものである。
【発明の効果】
【００１３】
本発明によれば、表示装置に出力されるコンテンツに関する処理を表示装置以外の他の装置で行うことができるので、表示装置の高価格化と大型化が抑制され、また、表示装置に出力されるコンテンツに簡便に種々の処理をすることが可能になる。
【図面の簡単な説明】
【００１４】
【図１】第１の実施形態の通信システムを説明するためのブロック図である。
【図２】図１に示した表示装置の一構成例を示すブロック図である。
【図３】図１に示した情報処理装置の一構成例を示すブロック図である。
【図４】図１に示したサーバの一構成例を示すブロック図である。
【図５】ユーザ登録情報の一例を示す表である。
【図６】カテゴリ種別コンテンツ情報を説明するための表である。
【図７】カテゴリ種別コンテンツ情報の一例を示す表である。
【図８】フォーマット種別アイテム情報を説明するための表である。
【図９】フォーマット種別アイテム情報の一例を示す表である。
【図１０】装置の種類の情報の一例を示す表である。
【図１１】コンテンツページを説明するための図である。
【図１２】表示装置をサーバに登録するための手順を示すシーケンス図である。
【図１３】情報処理装置のメールアドレスを登録するための手順を示すシーケンス図である。
【図１４】表示装置にコンテンツを格納するための手順を示すシーケンス図である。
【図１５】表示装置に出力されるコンテンツについてのアイテムを取得するための手順を示すシーケンス図である。
【図１６】ＵＲＬ管理テーブルの一例を示す図である。
【図１７】フォーマットアイテム情報テーブルの一例を示す図である。
【図１８】カテゴリアイテム情報テーブルの一例を示す図である。
【図１９】コンテンツページの一例を示す図である。
【図２０】第３の実施形態の通信システムを説明するためのブロック図である。
【発明を実施するための形態】
【００１５】
（第１の実施形態）
本実施形態の通信システムの構成を説明する。図１は本実施形態の通信システムを説明するためのブロック図である。
【００１６】
図１に示すように、本実施形態の通信システムは、表示装置１０と、サーバ２０とを有する。表示装置１０およびサーバ２０はインターネットなどのネットワーク５０を介して接続される。表示装置１０のユーザが操作する情報処理装置３０がネットワークと接続される。なお、表示装置１０は、サーバ２０の管理者がユーザに貸し出すものであってもよく、ユーザ自身の所有物であってもよい。以下に、各構成について詳しく説明する。
【００１７】
表示装置１０の構成を説明する。図２は図１に示した表示装置の一構成例を示すブロック図である。
【００１８】
表示装置１０は、デジタルフォトフレーム、テレビおよびゲーム機などの画像を表示する装置である。図２に示すように、表示装置１０は、ネットワーク５０を介して他の装置と接続するための通信部１１と、画像データが格納される記憶部１３と、画像を表示する表示部１５と、各部を制御する制御部１２と、操作キー１７と、コンテンツ選択ボタン１９とを有する。表示装置１０は、画像表示を主な目的とする装置であることから、ユーザの入力手段として、簡便な操作キー１７が設けられている。本実施形態の表示装置１０は、操作キー１７とは別に、コンテンツ選択ボタン１９が設けられていることが特徴の１つである。
【００１９】
なお、音楽や音声などの音を出力対象とする場合、図に示していないが、表示装置１０には、音を出力するためのスピーカが設けられている。
【００２０】
記憶部１３には、装置を特定するための、装置毎に異なる識別子である装置ＩＤが登録されている。表示部１５は、例えば、液晶ディスプレイである。操作キー１７は、表示部１５に表示されたカーソルの移動、およびカーソル停止位置の決定を指示するためのものである。コンテンツ選択ボタン１９は、表示部１５に表示される複数の画像からユーザが選択を指示するためのものである。
【００２１】
制御部１２は、登録手段１２１と、サーバ２０から受け取るセッションＩＤを管理するセッションＩＤ管理手段１２２と、サーバ２０から受信する画像などのコンテンツを表示部１５に表示させるコンテンツ閲覧手段１２３とを有する。各手段の詳細な動作は、後述の手順で説明する。
【００２２】
制御部１２には、プログラムにしたがって処理を実行するＣＰＵ（Central Processing Unit）（不図示）と、プログラムを格納するためのメモリ（不図示）とが設けられている。ＣＰＵがプログラムを実行することで、登録手段１２１、セッションＩＤ管理手段１２２およびコンテンツ閲覧手段１２３が表示装置１０に仮想的に構成される。ただし、制御部１２に設けられるＣＰＵは、サーバ２０や情報処理装置３０に設けられるＣＰＵほどの性能を有している必要はない。
【００２３】
次に、情報処理装置３０の構成を説明する。図３は図１に示した情報処理装置の一構成例を示すブロック図である。
【００２４】
情報処理装置３０は、携帯端末やＰＣなどの情報処理端末である。図３に示すように、情報処理装置３０は、ネットワーク５０を介して他の装置と接続するための通信部３１と、サーバ２０から受信する情報が格納される記憶部３３と、記憶部３３に格納された情報を表示する表示部３５と、各部を制御する制御部３２と、ユーザが指示を入力するための入力部３７とを有する。入力部３７は、情報処理装置３０がＰＣであれば、マウスやキーボードであり、情報処理装置３０が携帯端末であれば、文字入力キーおよび操作キーである。ＰＣのキーボードおよび携帯端末の文字入力キーが文字入力手段に相当する。
【００２５】
制御部３２は、登録手段３２１と、サーバ２０から受信するメールの内容を表示部３５に表示させるメール手段３２２と、ウェブブラウザ手段３２３とを有する。各手段の詳細な動作は、後述の手順で説明する。
【００２６】
制御部３２には、プログラムにしたがって処理を実行するＣＰＵ（不図示）と、プログラムを格納するためのメモリ（不図示）とが設けられている。ＣＰＵがプログラムを実行することで、登録手段３２１、メール手段３２２およびウェブブラウザ手段３２３が情報処理装置３０に仮想的に構成される。
【００２７】
次に、サーバ２０の構成を説明する。図４は図１に示したサーバの一構成例を示すブロック図である。
【００２８】
図４に示すように、サーバ２０は、ネットワーク５０を介して他の装置と接続するための通信部２１と、記憶部２３と、各部を制御する制御部２２とを有する。
【００２９】
記憶部２３には、表示装置１０に配信する画像が登録される。配信対象としては、動画や写真等の画像に限らず、音楽や音声等の音であってもよく、テキスト等の文字情報であってもよい。以下では、画像、音および文字情報等の配信対象を「コンテンツ」と称する。記憶部２３内でコンテンツが登録される領域を示すＵＲＬを、コンテンツ記憶ＵＲＬと称する。本実施形態では、配信対象のコンテンツが主に画像の場合で説明する。
【００３０】
記憶部２３に登録されるコンテンツは、コンテンツのサービス区分であるカテゴリやコンテンツのデータ記録形式を示すフォーマットなどで、記憶部２３内で種類分けして管理される。カテゴリには、アルバム、ニュース、ブログおよび通信販売などがある。アルバムはユーザが登録した写真などの画像をコンテンツとするものである。ニュースおよび通信販売に関するコンテンツはそれぞれのサービス提供者によって登録される。
【００３１】
コンテンツ管理のために、記憶部２３には、ユーザ登録情報、カテゴリ毎のコンテンツを示すカテゴリ種別コンテンツ情報、カテゴリ毎の項目（アイテム）を示すフォーマット種別アイテム情報、および装置の種類の情報が格納される。これらの例として、図５にユーザ登録情報２３１を示し、図６にカテゴリ種別コンテンツ情報２３２を示し、図８にフォーマット種別アイテム情報２３３を示し、図１０に装置の種類の情報２３４を示す。以下に、各情報について説明する。
【００３２】
図５はユーザ登録情報の一例を示す表である。図５に示すように、ユーザ登録情報には、装置毎に異なる装置ＩＤと、ユーザ毎に異なる利用者ＩＤと、ユーザ認証のためのパスワードと、情報処理装置３０のメールアドレスと、利用契約したカテゴリのカテゴリＩＤと、マイページＵＲＬとがユーザ毎に登録される。カテゴリＩＤとは、カテゴリの種類毎に異なる識別子である。マイページＵＲＬとは、ユーザのみアクセスすることが可能なプライベートウェブページ（マイページ）のＵＲＬである。ユーザ登録情報として、図５に示した以外の情報が登録されてもよい。図５に示していないが、携帯端末またはＰＣなど、情報処理装置３０の装置の種類が登録されてもよい。また、後述する登録コードやセッションＩＤをユーザ登録情報に記録してもよいし、装置ＩＤと登録コード、装置ＩＤとセッションＩＤが関連付けられたテーブルを別途設けても構わない。
【００３３】
なお、サービスを利用するユーザが利用者ＩＤをどの段階で与えられるかは様々な場合が考えられるが、以下では、ユーザがサービス提供を受ける前に、サービス提供者から利用者ＩＤがユーザに付与されるものとする。
【００３４】
図６は、記憶部２３に記憶されたコンテンツの管理体系であるカテゴリ種別コンテンツ情報を説明するための表である。図７は図６に示した表の一例を示す図である。図６に示す表には、カテゴリＩＤ、コンテンツ毎に異なる識別子であるコンテンツＩＤ、コンテンツ記憶ＵＲＬおよびフォーマットが関連付けされている。フォーマットの数は、カテゴリの種類によって決まり、複数の場合もあれば、１つもない場合もある。コンテンツを記録部２３にカテゴリ種別毎に記憶される際にコンテンツＩＤとコンテンツ記憶ＵＲＬが決まり、フォーマット判別され、各々関連付けられて記憶される。また、コンテンツをもとに、この表（関連付け）を参照して、そのコンテンツのカテゴリとフォーマットが判別できる。
【００３５】
カテゴリＩＤは、コンテンツＩＤのような、数字を含む文字列であるが、わかりやすくするために、図７では、カテゴリの種類を記載している。図７に示すように、カテゴリがアルバムの場合、コンテンツＩＤはＡ００１およびＡ００２などがあり、コンテンツＩＤのそれぞれに対応してコンテンツＵＲＬとフォーマットが記述されている。コンテンツＩＤがＡ００１のときのフォーマットは静止画である。
【００３６】
図８はフォーマット種別アイテム情報を説明するための表である。図９は図８に示した表の一例を示す図である。図８に示す表には、カテゴリＩＤ、フォーマットおよびアイテムが順に記述されている。この表を参照してカテゴリＩＤとフォーマットとを選択すると、アイテムが決まる。アイテムは、サーバ２０のアクション手段２２８に実行させるための処理項目に相当する。
【００３７】
図９に示すように、カテゴリがアルバムの場合、フォーマットとして静止画、動画および音楽などがあり、フォーマットのそれぞれに対応して複数のアイテムが記述されている。フォーマットが静止画の場合、アイテムは、「ダウンロード」、「壁紙に設定する」、「プリントする」等のＡＳＰ型のプログラムとそれを実行するボタンの表示データなどである。
【００３８】
カテゴリがニュースの場合、フォーマットが動画とテキストなら、アイテムは「動画を閲覧する」、「コメントを書く」、「友達に送る」等である。カテゴリが通信販売の場合、フォーマットはなく、アイテムは「商品詳細を見る」、「購入する」、「クチコミを見る」等である。このように、アイテムは、カテゴリに合わせて構成される。同じカテゴリでもフォーマットが違うと、選択肢となるアイテムが異なる。
【００３９】
なお、アイテムがカテゴリＩＤとフォーマットとに関連付けられ、コンテンツＩＤに関連付けられたカテゴリＩＤとフォーマットとによって、アイテムが選択可能となるように説明したが、アイテムがカテゴリＩＤとフォーマットのいずれか一方に関連付けられており、コンテンツＩＤに関連付けられたカテゴリＩＤとフォーマットのいずれか一方によって、アイテムが選択されるようにしてもよい。
【００４０】
図１０は装置の種類の情報の一例を示す表である。図１０に示すように、装置の表示部の画面の表示形式に対応する装置種識別子、装置の種類、および表示形式に関する情報が記述されている。また、表示形式の情報に限らず、削除するアイテムや追加するアイテムの情報が登録されていてもよい。装置種識別子は、装置ＩＤのような文字列である必要はなく、装置がＰＣか、携帯端末か、どのような装置であるかを示す情報でもよい。例えば、ウェブブラウザの種類やバージョンが書かれたユーザーエージェント情報からも表示形式を識別可能であるから、このような情報でもよく、装置メーカで決められた情報であってもよい。図１０は、１つの装置の種類に対して、複数の装置種識別子があることを示している。装置の種類によって画面のサイズが異なることから、表示形式に関する情報には、画面サイズおよび表示可能なアイテム数などが記述されている。例えば、ＰＣと携帯端末とを比較すると、画面のサイズが大きく異なる。
【００４１】
図１１はコンテンツページを説明するための図である。図１１に示すページは一例である。コンテンツページは、ブラウザで表示されるウェブページである。コンテンツページには、図１１に示すように、コンテンツ選択ボタン１９が押された日時、カテゴリおよびフォーマットが表示される。また、コンテンツ選択ボタン１９で選択された際のコンテンツがサムネイル画像として表示される。さらに、コンテンツに対応するアイテムを選択するためのボタンが表示される。コンテンツページのデータには、コンテンツページを表示するためのページデータの他に、コンテンツＩＤと、アイテム毎に異なる識別子であるアイテムＩＤとの情報が含まれている。
【００４２】
制御部２２は、コンテンツ格納手段２２１と、登録受付手段２２２と、ユーザのプライベートページを生成するマイページ生成手段２２３と、表示装置１０と送受信するためのセッションＩＤを生成するセッションＩＤ生成手段２２４と、コンテンツ送信手段２２５と、コンテンツページを生成するページ生成手段２２６と、コンテンツページのＵＲＬの情報をメールで通知するメール送信手段２２７と、選択されたアイテムに対応する処理を実行するアクション手段２２８とを有する。各手段の詳細な動作は、後述の手順で説明する。
【００４３】
制御部２２には、プログラムにしたがって処理を実行するＣＰＵ（不図示）と、プログラムを格納するためのメモリ（不図示）とが設けられている。ＣＰＵがプログラムを実行することで、コンテンツ格納手段２２１、登録受付手段２２２、マイページ生成手段２２３、セッションＩＤ生成手段２２４、コンテンツ送信手段２２５、ページ生成手段２２６、メール送信手段２２７およびアクション手段２２８がサーバ２０に仮想的に構成される。
【００４４】
上述した構成において、表示装置１０に表示させる画像をサーバ２０に登録する方法について説明する。
【００４５】
ユーザが情報処理装置３０を操作して、デジタルカメラで撮影した写真や動画等の画像を情報処理装置３０の記憶部３３に格納し、入力部３７を介して画像の送信を指示すると、情報処理装置３０は記憶部３３に格納された画像をサーバ２０に送信する。ここでは、ユーザがサーバ２０に画像を登録するための装置として、情報処理装置３０を使用する場合で説明したが、画像登録のための装置は、通信機能を備えたデジタルカメラなど、情報処理装置３０以外の装置であってもよい。
【００４６】
サーバ２０のコンテンツ格納手段２２１は、情報処理装置３０から通信部２１を介して画像を受信すると、受信した画像にコンテンツＩＤを付与し、画像とコンテンツＩＤとを関連付けする。そして、例えば、ファイルのｊｐｇ、ｍｐｇ、ｗａｖ等の拡張子を参照してフォーマットを識別するか、ファイルのデータ内容からフォーマットを識別するなどしてフォーマットを判別し、記憶部２３のコンテンツ記憶ＵＲＬが示す領域に画像と一緒にコンテンツＩＤを格納する。その際、この画像およびコンテンツＩＤが格納された領域を示すコンテンツ記憶ＵＲＬが決まる。ここでは、ユーザは、予め付与されている利用者ＩＤを用いて画像登録を行い、登録されるコンテンツは利用者ＩＤで関連付けされている。
【００４７】
次に、表示装置１０をサーバ２０に登録するための手順を説明する。図１２は表示装置をサーバに登録するための手順を示すシーケンス図である。
【００４８】
ユーザが表示装置１０を起動し、表示装置１０に通信設定をさせると（ステップ１０１）、表示装置１０の登録手段１２１は、記憶部１３から装置ＩＤを読み出し、装置ＩＤの情報を含む、登録を要求する旨の信号である装置登録要求信号をｈｔｔｐｓ等の通信方法を用いて暗号化し、暗号化した装置登録要求信号を通信部１１およびネットワーク５０を介してサーバ２０に送信する（ステップ１０２）。
【００４９】
サーバ２０の登録受付手段２２２は、表示装置１０から通信部２１を介して装置登録要求信号を受信すると、装置登録要求信号に含まれる装置ＩＤを読み出し、その装置ＩＤと関連付けた登録コードを生成する（ステップ１０３）。そして、登録画面にアクセスするためのＵＲＬである登録画面ＵＲＬおよび登録コードの情報を含む登録アクセス情報を表示装置１０に送信する（ステップ１０４）。
【００５０】
表示装置１０の登録手段１２１は、サーバ２０から通信部１１を介して登録アクセス情報を受信すると、登録コードおよび登録画面ＵＲＬの情報を含む登録画面を表示部１５に表示させる（ステップ１０５）。
【００５１】
ここで、登録コードについて説明する。登録コードとは、表示装置１０をサーバ２０に登録する際にサーバ２０が発行する、１回きりのランダムな文字列である。表示装置１０に表示された登録コードを情報処理装置３０がサーバ２０にアクセスする際に用いることで、表示装置１０を用いて登録コードを取得した者と情報処理装置３０をサーバ２０に接続させる者が同一人物であるとの認証をすることが可能となる。装置ＩＤと登録コードは関連付けされて、図５に示したユーザ登録情報に格納される。
【００５２】
次に、情報処理装置３０のメールアドレスをサーバ２０に登録するための手順を説明する。図１３は情報処理装置のメールアドレスを登録するための手順を示すシーケンス図である。
【００５３】
ユーザが表示装置１０に表示された登録画面ＵＲＬを読み、情報処理装置３０の入力部３７を操作して登録画面ＵＲＬを入力すると、情報処理装置３０の登録手段３２１は、通信部３１を介してサーバ２０に対して登録画面ＵＲＬへのアクセスを要求する（ステップ２０１）。
【００５４】
サーバ２０の登録受付手段２２２は、情報処理装置３０からアクセス要求を受けると、登録コードの入力を求める旨のページデータを含む登録コード要求情報を情報処理装置３０に送信する（ステップ２０２）。情報処理装置３０の登録手段３２１は、サーバ２０から登録コード要求情報を受け取ると、登録コードの入力欄が設けられたウェブページを表示部３５に表示する。
【００５５】
ユーザが情報処理装置３０の入力部３７を操作して、表示装置１０に表示された登録コードを情報処理装置３０に入力すると、情報処理装置３０の登録手段３２１は、通信部３１を介してサーバ２０に登録コードを送信する（ステップ２０３）。サーバ２０の登録受付手段２２２は、情報処理装置３０から通信部２１を介して登録コードを受信すると、受信した登録コードに一致するものがユーザ登録情報に登録されているか否かを調べ、一致する登録コードが登録されていることを認識すると、登録コードの情報を含む登録画面データを情報処理装置３０に送信する（ステップ２０４）。
【００５６】
情報処理装置３０の登録手段３２１は、サーバ２０から通信部３１を介して登録画面データを受信すると、表示部３５に登録画面を表示する。ユーザは、利用者ＩＤと、パスワードと、情報処理装置３０のメールアドレスを登録画面に入力する。その際、利用契約するカテゴリを事前に登録していない場合には、少なくとも１つのカテゴリを登録してもよい。ここでは、登録画面に表示された複数のカテゴリから、利用したいカテゴリがユーザにより選択されたものとする。
【００５７】
情報処理装置３０の登録手段３２１は、選択されたカテゴリに対応するカテゴリＩＤ、利用者ＩＤ、パスワード、メールアドレスおよび登録コードの情報を含む登録要求情報を通信部３１を介してサーバ２０に送信する（ステップ２０５）。サーバ２０の登録受付手段２２２は、情報処理装置３０から通信部２１を介して登録要求情報を受信すると、登録要求情報に含まれる情報を読み出し、読み出した登録コードとともに登録されている装置ＩＤをユーザ登録情報で特定する。そして、特定した装置ＩＤと共に利用者ＩＤ、パスワード、メールアドレスおよびカテゴリＩＤを、図５に示したユーザ登録情報として記憶部２３に格納する（ステップ２０６）。
【００５８】
また、サーバ２０のマイページ生成手段２２３は、新たに登録されたユーザ登録情報について、登録されたカテゴリＩＤに対応するカテゴリや各種設定項目を情報処理装置３０で表示や設定変更指示するための、ユーザ固有の管理用のホームページであるマイページを生成し（ステップ２０７）、そのデータを記憶部２３に格納する。さらに、そのマイページを保存した場所を示すマイページＵＲＬをユーザ登録情報に書き込む。
【００５９】
次に、表示装置１０にサーバ２０からコンテンツを取得して表示装置１０に格納するための手順を説明する。図１４は表示装置にコンテンツを格納するための手順を示すシーケンス図である。
【００６０】
ユーザが表示装置１０の電源をオンさせると、表示装置１０のセッションＩＤ管理手段１２２は、記憶部１３にセッションＩＤが格納されているかどうか判別する。そして、記憶部１３にセッションＩＤが格納されていない場合、もしくはセッションＩＤが有効期限切れの場合、通信部１１を介してサーバ２０との通信接続し、装置ＩＤの情報を含む、セッションＩＤを要求する旨の信号であるセッションＩＤ要求信号を暗号化した通信で送信する（ステップ３０１）。
【００６１】
サーバ２０のセッションＩＤ生成手段２２４は、表示装置１０から通信部２１を介してセッションＩＤ要求信号を受信すると、セッションＩＤ要求信号に含まれる装置ＩＤと関連付けられたセッションＩＤを生成し、セッションＩＤ要求信号の送信元である表示装置１０に通信部２１を介してセッションＩＤを送信する（ステップ３０２）。表示装置１０のセッションＩＤ管理手段１２２は、サーバ２０から通信部１１を介してセッションＩＤを受信すると、記憶部１３にセッションＩＤを格納する。
【００６２】
セッションＩＤは、時限的（例えば、１５分間有効など）や回数限定的（例えば、３回など）な非暗号化のＩＤである。表示装置１０の識別子にセッションＩＤを用いて、説明するが、セッションＩＤを使わずに装置ＩＤを使っても構わない。端末ＩＤはセキュリティ上、通信を暗号化する必要がある。いろいろな機能のコマンド発行時に端末の識別子が必要となるが、それらを全て暗号化するとリソースやレスポンスに影響を及ぼすおそれがある。そのため、時限的な通信でよい場合には、セッションＩＤを使用することが有効である。サーバ２０でセッションＩＤの有効期限を管理し、セッションＩＤが有効期限切れの場合、表示装置１０にセッションＩＤの有効期限が切れた旨を通知し、表示装置１０は再度暗号化通信で端末ＩＤをサーバ２０に送付し、セッションＩＤを付与してもらえばよい。
【００６３】
ステップ３０２の後、表示装置１０のコンテンツ閲覧手段１２３は、通信部１１を介してサーバ２０との通信接続後に、セッションＩＤを含むコンテンツ要求信号をサーバ２０に送信する（ステップ３０３）。サーバ２０のコンテンツ送信手段２２５は、表示装置１０から通信部２１を介してコンテンツ要求信号を受信すると、画像の閲覧、楽曲の視聴、記事の閲覧、通販商品の紹介等のコンテンツのカテゴリを選択させるためのページであるコンテンツメニューの情報を通信部２１を介して表示装置１０に送信する（ステップ３０４）。
【００６４】
なお、サーバ２０のコンテンツ送信手段２２５は、コンテンツメニューを生成する際、予め決められた標準的なメニュー画面をコンテンツメニューとしてもよいが、記憶部２３のユーザ登録情報を参照し、セッションＩＤから特定した装置ＩＤに関連付けられた「利用契約したカテゴリＩＤ」に基づいて、メニュー画面の内容を変更してもよい。
【００６５】
また、表示装置１０は、サーバ２０に情報を送信する際、サーバ２０が情報の送信元となる表示装置１０を識別できるように、送信する情報にセッションＩＤを含めて送信する。以下では、表示装置１０からサーバ２０に送信される信号や情報にセッションＩＤが含まれているものとし、その説明を省略する。反対に、サーバ２０が表示装置１０に情報を送信する際、送信する情報にセッションＩＤを付加しなくてもよい。
【００６６】
ステップ３０４の後、表示装置１０のコンテンツ閲覧手段１２３は、サーバ２０から通信部１１を介してコンテンツメニューの情報を受信すると、コンテンツメニューを表示部１５に表示させる。ユーザが表示装置１０の表示部１５に表示されたコンテンツメニューを見て、操作キー１７を操作してカテゴリを選択すると、表示装置１０のコンテンツ閲覧手段１２３は、選択されたカテゴリに対応するカテゴリＩＤを通信部１１を介してサーバ２０に送信する（ステップ３０５）。
【００６７】
サーバ２０のコンテンツ送信手段２２５は、表示装置１０から通信部２１を介してカテゴリＩＤを受信すると、記憶部２３に登録されたカテゴリ種別コンテンツ情報２３２を参照して、カテゴリＩＤに関連付けられたコンテンツＩＤおよびコンテンツ記憶ＵＲＬを読み出す。続いて、コンテンツ記憶ＵＲＬからコンテンツを読み出し(ステップ３０６)、コンテンツおよびコンテンツＩＤを含むコンテンツ情報を通信部２１を介して表示装置１０に送信する（ステップ３０７）。コンテンツ情報はコンテンツ記憶ＵＲＬおよびコンテンツＩＤを含むものとし、コンテンツの送信を後で行ってもよい。表示装置１０のコンテンツ閲覧手段１２３は、サーバ２０から通信部１１を介してコンテンツ情報を受信すると、コンテンツ情報を記憶部１３に格納する（ステップ３０８）。
【００６８】
なお、ステップ３０６で、サーバ２０が表示装置１０にコンテンツ情報を送信する際、コンテンツが複数あってデータ容量が大きければ、一度に送信せず、少数単位に分割して表示装置１０に送信してもよい。
【００６９】
また、カテゴリがアルバムで、ユーザ自身が撮影し、他者と共用しない画像等のコンテンツの場合、サーバ２０のコンテンツ送信手段２２５は、ユーザ登録情報を参照し、セッションＩＤに対応する装置ＩＤ、利用者ＩＤ、またはカテゴリＩＤを特定し、特定したＩＤでそのコンテンツを記憶部２３内で識別し、記憶部２３からコンテンツを読み出すことが可能である。
【００７０】
次に、表示装置１０に出力されるコンテンツについてのアイテムを情報処理装置３０で取得するための手順を説明する。図１５は、表示装置に出力されるコンテンツについてのアイテムを取得するための手順を示すシーケンス図である。
【００７１】
表示装置１０のコンテンツ閲覧手段１２３は、図１４で説明したステップ３０８でサーバ２０から受信した複数のコンテンツのコンテンツ情報を記憶部１３に格納すると、複数のコンテンツを順に表示部１５に表示させる。複数のコンテンツのうち、ユーザが選択したいコンテンツが表示部１５に表示されているとき、ユーザがコンテンツ選択ボタン１９を押すと、表示装置１０のコンテンツ閲覧手段１２３は、表示部１５に表示させているコンテンツに対応するコンテンツＩＤを読み出し、コンテンツＩＤおよびセッションＩＤを通信部１１を介してサーバ２０に送信する（ステップ４０１）。
【００７２】
サーバ２０のページ生成手段２２６は、表示装置１０から通信部２１を介してコンテンツＩＤおよびセッションＩＤを受信すると、記憶部２３のカテゴリ種別コンテンツ情報２３２を参照し、コンテンツＩＤが属するカテゴリＩＤとコンテンツのフォーマットとを検索する。そして、フォーマット種別アイテム情報２３３を参照し、検索条件に一致するカテゴリＩＤとフォーマットとに関連付けられ、コンテンツページを生成するためのアイテムを選択する（ステップ４０２）。
【００７３】
なお、アイテムがカテゴリＩＤとフォーマットとに関連付けられ、コンテンツＩＤに関連付けられたカテゴリＩＤとフォーマットとによって、アイテムが選択されるように説明したが、アイテムがカテゴリＩＤとフォーマットのいずれか一方に関連付けられており、コンテンツＩＤに関連付けられたカテゴリＩＤとフォーマットのいずれか一方によって、アイテムが選択されるようにしてもよい。
【００７４】
続いて、サーバ２０のページ生成手段２２６は、装置の種類の情報２３４を参照し、ＰＣや携帯端末等の装置の種類毎に、レイアウト、画面サイズ、スクリプト（Ｊａｖａスクリプト（登録商標）など）、ｆｌａｓｈや動画のフォーマットやアイテム（追加や削除により決定した）を適合したコンテンツページのデータを生成して記憶部２３に格納する（ステップ４０３）。サーバ２０のページ生成手段２２６は、コンテンツページの記憶部２３内における格納場所を示すコンテンツページＵＲＬを生成し、記憶部２３のＵＲＬ管理テーブル２３８（図１６参照）に登録する（ステップ４０４）。
【００７５】
ここで、ＵＲＬ管理テーブル２３８について説明する。図１６はＵＲＬ管理テーブルの一例を示す図である。図１６に示すように、ＵＲＬ管理テーブル２３８は、コンテンツページ毎に、コンテンツページＵＲＬと、時間制限と、閲覧日時と、閲覧回数と、選択されたアイテムと、コンテンツＩＤと、セッションＩＤと、カテゴリＩＤと、フォーマットなどが登録される。なお、時間制限の代わりに回数制限でもよく、セッションＩＤの代わりに装置ＩＤであってもよい。
【００７６】
ステップ４０４で生成されるコンテンツページＵＲＬは、装置の種類毎に生成された複数のコンテンツページに共通する部分のみである。コンテンツページのデータとして、情報処置装置３０の種類毎に、例えば、ＰＣ用のPC.htmや携帯端末用のkeitai.htmを作っておき、ここでは、そのＵＲＬはどちらを指してもいいように、「 www. xxx. jp / 」のように共通部分のみのＵＲＬにしておく。その後、通信先の情報処理装置３０の装置の種類を判別し、その装置がＰＣならコンテンツページのデータを「 www. xxx. jp/ PC. htm 」とすればよい。
【００７７】
また、コンテンツページおよびコンテンツページＵＲＬに時間制限や回数制限を設けてもよい。それらの制限を越えると、コンテンツページとそのＵＲＬが削除される。または、コンテンツページＵＲＬとコンテンツページの関連付けを削除してもよい。削除しないままの状態でサーバ２０に保存しておくと、そのコンテンツページを独占して使用するユーザ以外の人によってアクセスされるおそれがあるが、制御部２２がコンテンツページおよびコンテンツページＵＲＬの有効時間または有効アクセス回数を設定することで、それを防止できる。有効時間および有効アクセス回数の情報は、記憶部２３に予め登録されている。
【００７８】
また、サーバ２０のページ生成手段２２６は、コンテンツページ生成の際、カテゴリ種別コンテンツ情報２３２でコンテンツＩＤをキーにして検索を行い、カテゴリＩＤとフォーマットを抽出した後、図１７に示すフォーマットアイテム情報テーブル２３５と、図１８に示すカテゴリアイテム情報テーブル２３６を用いてもよい。これらのテーブルは記憶部２３に予め格納されている。
【００７９】
図１７はフォーマットアイテム情報テーブルの一例を示す図である。図１７に示すように、フォーマットアイテム情報テーブル２３５には、フォーマット種別に対応して複数のアイテムが登録されている。図１８はカテゴリアイテム情報テーブルの一例を示す図である。図１８に示すように、カテゴリアイテム情報テーブル２３６には、カテゴリＩＤに対応して複数のアイテムが登録されている。
【００８０】
サーバ２０のページ生成手段２２６は、フォーマットアイテム情報テーブル２３５を参照して、フォーマットからアイテムの候補を抽出する。この抽出処理を第１の抽出ステップと称する。また、カテゴリアイテム情報テーブル２３６を参照して、カテゴリＩＤからアイテムの候補を抽出する。この抽出処理を第２の抽出ステップと称する。そして、第１の抽出ステップで抽出したアイテムの候補と第２の抽出ステップで抽出したアイテムの候補とに対してＡＮＤの処理を行って両方に共通するアイテムを、表示すべきアイテムに決定する。この方法は、図８のフォーマット種別アイテム情報２３３ではなく、フォーマットとアイテムとが関連付けられたテーブルと、カテゴリとアイテムとが関連付けられたテーブルを用いるものである。
【００８１】
ステップ４０４の後、サーバ２０のメール送信手段２２７が、表示装置１０より受信したセッションＩＤに対応する装置ＩＤを記憶部２３に記憶されたユーザ登録情報２３１から導き出し、装置ＩＤに関連付けられたメールアドレスをユーザ登録情報から読み出す（ステップ４０５）。そして、コンテンツページＵＲＬをメールデータに記載して、そのメールアドレス宛に通信部２１を介してメール送信する（ステップ４０６）。また、メール送信手段２２７は、ユーザ登録情報を参照して、その装置ＩＤに関連付けられたマイページＵＲＬを読み出し、記憶部２３に格納されたマイページのＨＴＭＬデータにも、ＵＲＬ管理テーブル２３８を読み込み、コンテンツページＵＲＬのリンク情報とリンク情報の閲覧日時、有効閲覧期限（もしくは閲覧回数、有効閲覧回数）を付加する（ステップ４０７）。
【００８２】
なお、マイページは、マイページ生成手段２２３により、ＵＲＬ管理テーブル２３８に記載されているコンテンツページＵＲＬのリンク情報の履歴やコンテンツページＵＲＬの閲覧日時、有効閲覧期限（もしくは閲覧回数、有効閲覧回数）を読み込み、動的に変更される。
【００８３】
情報処理装置３０のメール手段３２２は、サーバ２０から通信部３１を介してメールデータを受信すると、メールの内容を表示部３５に表示させる（ステップ４０８）。ユーザが情報処理装置３０の入力部３７を操作して、コンテンツページＵＲＬにアクセスする旨の指示を入力すると、情報処理装置３０のウェブブラウザ手段３２３は、コンテンツページＵＲＬが指定されたことを検出し、コンテンツページＵＲＬへの接続を要求する旨の接続要求信号を通信部３１を介してサーバ２０に送信する（ステップ４０９）。その際、ウェブブラウザ手段３２３は、接続要求信号に自装置の装置種識別子を含める。
【００８４】
サーバ２０のページ生成手段２２６は、情報処理装置３０から通信部３１を介してコンテンツページＵＲＬの接続要求信号を受信すると、接続要求信号に含まれる装置種識別子に基づいて、記憶部２３に登録された、装置の種類の情報も参照し、情報処理装置３０の装置の種類を判別する。そして、判別した装置の種類に適合したコンテンツページのデータを記憶部２３から選択し（ステップ４１０）、選択したコンテンツページのデータを読み出して情報処理装置３０に通信部２１を介して送信する（ステップ４１１）。このコンテンツページのＵＲＬは、共通のコンテンツページにアクセスするためのコンテンツページＵＲＬに、装置の種類に対応するコンテンツページの識別子（例えば、ファイル名）を付与したものになる。そして、ページ生成手段２２６は、ＵＲＬ管理テーブル２３８のコンテンツページＵＲＬの閲覧日時（もしくは閲覧回数、有効閲覧回数）を更新する。
【００８５】
図１９はコンテンツページの一例を示す図である。図１９に示す例では、カテゴリがアルバムの場合で、フォーマットが静止画、装置の種類がＰＣであることが表示されている。そして、アイテムとして、「ダウンロード」、「壁紙に設定」および「プリント」のボタンが表示されている。
【００８６】
情報処理装置３０のウェブブラウザ手段３２３は、サーバ２０から通信部３１を介して受信したコンテンツページを表示部３５に表示させる（ステップ４１２）。そして、ユーザが情報処理装置３０の入力部３７を操作して、コンテンツページに表示された複数のアイテムから１つを選択すると、情報処理装置３０のウェブブラウザ手段３２３は、選択されたアイテムのアイテムＩＤとコンテンツＩＤとを含むアイテム選択情報をサーバ２０に通信部３１を介して送信する（ステップ４１３）。
【００８７】
サーバ２０のアクション手段２２８は、情報処理装置３０から通信部２１を介してアイテム選択情報を受信すると、アイテム選択情報に含まれるコンテンツＩＤとアイテムＩＤを読み出し、コンテンツＩＤに対応するコンテンツに対して、アイテムＩＤに対応する処理のプログラムを実行する（ステップ４１４）。
【００８８】
上述の処理手順では、アイテム選択情報をサーバ２０に送信するように説明したが、アイテム選択情報を情報処理装置３０の制御部３２に伝送し、情報処理装置３０内でコンテンツＩＤに対応するコンテンツに対して、アイテムＩＤに対応する処理のプログラムを実行してもよい。
【００８９】
上述の処理手順のうち、ステップ４０３で、装置の種類毎に、コンテンツページのデータを生成したが、ステップ４１０で、ステップ４０２で選択されたアイテムを用いて、判別した装置の種類に適合したコンテンツページのデータを生成してもよい。
【００９０】
なお、本実施形態では、サーバ２０が１つの場合で説明したが、複数設けられていてもよく、サーバ２０のデータベースがネットワーク対応ストレージで構成されていてもよい。
【００９１】
また、本実施形態では、コンテンツが画像の場合で説明したが、音を伴った画像でもよく、コンテンツが音だけであってもよい。例えば、音楽配信サービスの場合は、コンテンツは楽曲となる。さらに、情報処理装置３０で実行する処理をサーバ２０で行ってもよい。
【００９２】
本実施形態によれば、表示装置のコンテンツ選択ボタンが押されたことに連動して、表示装置で出力中のコンテンツに応じて、処理項目が表示されたコンテンツページが動的に生成される。コンテンツページを用いて、表示装置で出力されるコンテンツに対する処理を他の装置で簡単に活用できる。表示装置に出力されるコンテンツに関する処理を表示装置以外の他の装置で行うことができるので、表示装置の高価格化と大型化が抑制され、また、表示装置に出力されるコンテンツに簡便に種々の処理をすることが可能になる。
【００９３】
また、コンテンツに関する情報を表示装置からサーバを介して他の情報処理装置に送信すれば、情報処理装置を操作してコンテンツに対する処理を実行できるので、表示装置は少なくともコンテンツを出力する手段と、コンテンツを選択するための手段が設けられていればよい。また、表示装置で選択されたコンテンツについて動的にコンテンツページが作成されるので、閲覧されるかわからないコンテンツページを予め作成しておく必要がなく、サーバの記憶手段の容量の無駄使いを防ぐことができる。
【００９４】
（第２の実施形態）
本実施形態は、文字入力欄を含む画面を情報処理装置に送るものである。本実施形態では、第１の実施形態と異なる構成を中心に説明する。
【００９５】
本実施形態では、図８に示すカテゴリ種別コンテンツ情報２３２のアイテムが文字入力項目となる。文字入力項目とは、例えば、ブログの記入欄や掲示板の記入欄などである。
【００９６】
本実施形態の場合の動作を簡単に説明する。表示装置１０には、ユーザの入力手段として、操作に最低限必要な操作キー１７と、コンテンツ選択ボタン１９しか設けられていない。そのため、文字入力をするには不便である。コンテンツ選択ボタン１９を押すことで、情報処理装置３０にコンテンツページのＵＲＬが通知され、本実施形態では、情報処理装置３０に文字入力欄を含むコンテンツページが表示される。情報処理装置３０には、文字入力手段となるキーボードや文字入力キーが入力部３７に設けられているので、ユーザは入力部３７を操作して文字をコンテンツページの文字入力欄に入力することが可能である。本実施形態では、コンテンツページに文字入力欄が含まれていても文字入力を容易に行うことができる。
【００９７】
（第３の実施形態）
本実施形態は、第１の実施形態の通信システムに検索サーバがさらに設けられた構成である。なお、第１の実施形態と同様な構成については同一の符号を付し、その詳細な説明を省略する。
【００９８】
図２０は本実施形態の通信システムを説明するためのブロック図である。図２０に示すように、本実施形態の通信システムでは、第１の実施形態で説明した通信システムに検索サーバ６０がさらに設けられている。
【００９９】
本実施形態の動作を説明する。図１５に示すステップ４０１で、サーバ２０の制御部２２は、表示装置１０からコンテンツＩＤを受信すると、予め記憶部２３に記憶しておいた、コンテンツＩＤのコンテンツに関連する用語を読み出し、検索サーバ６０に送信する。検索サーバ６０の制御部（不図示）は、コンテンツに関連する用語をサーバ２０から受信すると、その用語に関連する情報をネットワーク５０上で公開されている情報から取得し、取得した情報をサーバ２０に送信する。検索サーバ６０から受信する情報には、その情報にアクセスするためのＵＲＬが含まれていてもよい。サーバ２０の制御部２２は、ステップ４０３で、コンテンツページを生成する際、検索サーバ６０から受信した情報に基づくアイテムを生成してコンテンツページに追加する。
【０１００】
本実施形態では、検索結果により生成されたアイテムをコンテンツページで選択すれば、ユーザは、表示装置１０で選択したコンテンツについてネットワーク上で公開されている情報を容易に取得することができる。
【０１０１】
（第４の実施形態）
本実施形態は、サーバによる情報処理装置の認識をコンテンツページ作成よりも前の段階で行うものである。
【０１０２】
図１３のステップ２０３または２０５で、情報処理装置３０の制御部３２は、装置種識別子をサーバ２０に送信する。サーバ２０の制御部２２は、情報処理装置３０から受信した装置種識別子に基づいて、情報処理装置３０の表示部３５の表示形式を判別し、装置ＩＤに関連付けて装置の種類の情報をユーザ登録情報に格納する。
【０１０３】
図１５のステップ４０３で、サーバ２０の制御部２２は、コンテンツページのデータを装置の種類毎に複数生成することなく、ユーザ登録情報に記録した装置の種類に適合するコンテンツページのデータを生成する。ただし、この場合、電子メールアドレスの登録時に用いた情報処理装置と、電子メールを閲覧する際の情報処理装置とが同じであることが必要となる。
【０１０４】
本実施形態では、サーバ２０は、装置の種類毎にコンテンツページを生成する必要がないだけでなく、図１５のステップ４１０の処理も省略でき、サーバ２０の処理負荷が軽減する。また、ステップ４０７〜４０９を省略し、ステップ４１１において、最適なコンテンツページをＨＴＭＬメールで送信することができ、情報処理装置の操作者による操作も、簡略化することができる。
【０１０５】
（第５の実施形態）
第１の実施形態では複数のアイテムを選択可能にしたコンテンツページを情報処理装置に送る場合を説明したが、本実施形態は、コンテンツに対する処理が１つしかない場合である。コンテンツに対する処理項目が１つの場合、コンテンツページのＵＲＬを送る必要がない。
【０１０６】
ユーザは、情報処理装置３０を操作することで、情報処理装置３０の登録手段３２１にサーバ２０に格納されたマイページに接続させると、カテゴリとフォーマットとで選択されるアイテムを予め選択する。この設定登録により、サーバ２０の制御部２２は、情報処理装置３０にコンテンツページＵＲＬを通知する代わりに、選択されたアイテムのプログラムの実行先ＵＲＬを直接送付する。
【０１０７】
本実施形態では、表示装置１０のコンテンツ選択ボタン１９を押すと、情報処理装置３０には、選択されたアイテムのプログラムの実行先ＵＲＬのボタンが表示され、これを押すと、コンテンツをサーバ２０は情報処理装置３０にダウンロードしたりする。これにより、情報処理装置３０およびサーバ２０の両方の処理の負荷が軽減する。
【０１０８】
なお、第３から第５の実施形態に第２の実施形態を適用してもよい。
【０１０９】
本発明を、店舗に設置された表示装置に相当するデジタルサイネージに適用してもよい。店頭を訪れた人は、店頭のディスプレイに気に入った商品が表示されているときに、ディスプレイに表示された二次元バーコード等のコードを携帯端末に読み込ませ、二次元バーコード等のコードをコンテンツＩＤの代わりに、携帯端末の装置ＩＤ（セッションＩＤ）とともに事業者のサーバに送信し、その商品の情報をメールで情報処理装置に受信させる。この場合は、店頭のディスプレイと携帯端末とを組み合わせて表示装置１０を適用している。また、非接触ＩＣを備えたプリペイド式カードに識別番号が付与されていれば、その識別番号に対応してメールアドレスを事前に登録しておく。店頭を訪れた人は、気に入った商品がディスプレイに表示されているときに、プリペイド式カードを店の非接触通信部にかざせば、その商品のコンテンツＩＤとセッションＩＤの代わりに読み取った識別番号とが店頭のディスプレイから、サーバに送られ、メールアドレスにその商品の情報が送られてくる。この場合は、店頭のディスプレイに表示装置１０を適用している。
【０１１０】
また、上記のいずれかの実施形態において、表示装置１０内に、情報処理装置３０のメールアドレスを登録しておき、ステップ４０１において、コンテンツＩＤ、セッションＩＤとともに、情報処理装置３０のメールアドレスをサーバ２０に通知してもよい。つまり、図１３のステップ２０５〜２０６で、情報処理装置３０からメールアドレスを送信して、サーバ２０の記憶部２３のユーザ登録情報２３１にメールアドレスを登録しておくのではなく、表示装置１０内にメールアドレスを登録しておいてもよい。
【符号の説明】
【０１１１】
１０    表示装置
２０    サーバ
３０    情報処理装置
５０    ネットワーク
６０    検索サーバ
１２、２２、３２    制御部
１３、２３、３３    記憶部
１５、３５    表示部
１９    コンテンツ選択ボタン
３７    入力部
【図１】
2010176273.tif 000003
【図２】
2010176273.tif 000004
【図３】
2010176273.tif 000005
【図４】
2010176273.tif 000006
【図５】
2010176273.tif 000007
【図６】
2010176273.tif 000008
【図７】
2010176273.tif 000009
【図８】
2010176273.tif 000010
【図９】
2010176273.tif 000011
【図１０】
2010176273.tif 000012
【図１１】
2010176273.tif 000013
【図１２】
2010176273.tif 000014
【図１３】
2010176273.tif 000015
【図１４】
2010176273.tif 000016
【図１５】
2010176273.tif 000017
【図１６】
2010176273.tif 000018
【図１７】
2010176273.tif 000019
【図１８】
2010176273.tif 000020
【図１９】
2010176273.tif 000021
【図２０】
2010176273.tif 000022